(57)【特許請求の範囲】
【請求項１】
モータビークル技術における高電流や高電圧プラグ型コネクタ用のコネクタ要素であって、
前記コネクタ要素は、電気ピンコンタクト要素と、前記電気ピンコンタクト要素を部分的に包囲するコンタクト保護カラーと、を備え、
前記コンタクト保護カラーは、第１の方向および前記第１の方向と交差する第２の方向に、相手コネクタ要素との接続を許容する開口を有し、
前記電気ピンコンタクト要素は、コンタクト部材と、前記コンタクト部材を部分的に包囲するコンタクト保護部材とを有し、
前記電気ピンコンタクト要素は、前記第１の方向および前記第２の方向において、前記コンタクト保護カラーの前記開口に臨む面が前記コンタクト保護部材により包囲されている、
コネクタ要素。
【請求項２】
前記コンタクト保護部材は、前記電気ピンコンタクト要素の前部側を少なくとも部分的に形成し、前記前部側は、前記電気ピンコンタクト要素の自由端に位置する、
請求項１に記載のコネクタ要素。
【請求項３】
前記コンタクト保護部材は、前記電気ピンコンタクト要素の２つの反対の側に沿って延在する、
請求項１又は請求項２に記載のコネクタ要素。
【請求項４】
前記コンタクト保護部材は、前記電気ピンコンタクト要素が相手コンタクト要素に接続することができる前記電気ピンコンタクト要素の挿入方向や挿入の向きを規定するためのコーディング要素を少なくとも部分的に形成する、
請求項１〜３のいずれか一項に記載のコネクタ要素。
【請求項５】
前記コンタクト保護部材は、前記電気ピンコンタクト要素のコンタクト面を少なくとも部分的に包囲する、
請求項１〜４のいずれか一項に記載のコネクタ要素。
【請求項６】
前記電気ピンコンタクト要素の前記コンタクト部材及び前記コンタクト保護部材は、互いに対応するように構成される、
請求項１〜５のいずれか一項に記載のコネクタ要素。
【請求項７】
前記コンタクト部材及び前記コンタクト保護部材は、ポジティブロック方式で一方を他方に係合する、
請求項６に記載のコネクタ要素。
【請求項８】
前記コンタクト部材及び前記コンタクト保護部材は、互いに整列している表面を少なくとも部分的に形成する、
請求項６又は請求項７に記載のコネクタ要素。
【請求項９】
前記コンタクト部材は、前記コンタクト保護部材に埋め込まれる、
請求項７又は請求項８に記載のコネクタ要素。
【請求項１０】
前記コンタクト保護部材は、前記コネクタ要素のハウジング上に少なくとも部分的に支持される、
請求項１〜９のいずれか一項に記載のコネクタ要素。
【請求項１１】
前記コネクタ要素のピンレセクタブルの底部又は一部と、前記コンタクト保護部材は、互いに一体的に形成される、
請求項１〜１０のいずれか一項に記載のコネクタ要素。
【発明の詳細な説明】
【技術分野】
【０００１】
本発明は、自由端を有し且つプラグ型コネクタにピンコンタクト要素を固定するための自由端から離間する基部を有する、モータビークル技術における高電流や高電圧のプラグ型コネクタ用の電気ピンコンタクト要素に関する。
【０００２】
本発明は、さらに、モータビークル技術における高電流や高電圧のプラグ型コネクタ用のコネクタ要素に関する。
【０００３】
最後に、本発明は、ピンコンタクト要素の自由端及び基部が形成され、その基部が自由端から離間している、モータビークル技術における高電流や高電圧のプラグ型コネクタ用の電気ピンコンタクト要素を製造する方法に関する。
【背景技術】
【０００４】
上記種類の電気ピンコンタクト要素、コネクタ要素及び方法は、従来の技術から知られている。ピンコンタクト要素は、例えば、車の電気システムを車のバッテリ又はアキュムレータに接続するために使用される。部分的に又は完全に電流によって駆動される電気自動車又はハイブリッド自動車の場合、コネクタ要素ひいてはそれに取り付けられたプラグ型コンタクトを介して、非常に大きな電流や電圧が伝送される。ピンコンタクト要素は、いわゆる扁平コンタクト又は丸形コンタクトである可能性がある。扁平コンタクトは、２つの異なる挿入方向で、即ち、屈曲的（９０°）及び直線的（１８０°）なプラグ型コネクタの場合に広くすることができるという、丸形コンタクトに対する利点を有するが、丸形コンタクトの場合は２種類のプラグ型コネクタに対して異なる種類を提供しなければならず、プラグ型コネクタのために製造して保管すべき異なる構成部品の数が増える。
【０００５】
高電流や高電圧であるために、コネクタ要素には特に高い安全要求事項が設定されている。従って、例えば、Ｇｅｒｍａｎ  Ｖｅｒｂａｎｄ  ｄｅｒ  Ｅｌｅｋｔｒｏｔｅｃｈｎｉｋ（ＶＤＥ）（ドイツ電子技術協会）の規格、例えば、ＶＤＥ０４７０等、及び欧州規格、例えば、ＩＥＣ／ＥＮ６１０３２等は、コンタクト要素が、人間の指の接触からの保護によって保護されなくてはならないことを提示している。対応する試験のためにいわゆる試験指が提供され、これは、人間の指先を模倣し、コネクタ要素の部分即ち開口に対して所定の押圧力にて押し付けられることが意図されており、この部分即ち開口を介して、試験指はコンタクト要素の電流搬送部と接触できない状態でコンタクト要素にはアクセス可能である。
【０００６】
コンタクト要素への接触が様々な方法で防止されることを意図する多くのコネクタ要素が従来の技術から知られている。その結果、コンタクト要素自体が、コンタクト保護部材を備えるか、プラグ型コネクタがコンタクト保護に関する対応する規格又は規定に準拠するように、プラグ型コネクタが開状態であるときに可動性のコンタクト保護デバイスによって隠される。プラグ型コネクタの最終的な挿入状態において、可動性のコンタクトデバイスは、相手コンタクト要素のコンタクト要素が接触できるように引っ込められる。
【０００７】
例えば、ＤＥ１０２０１００３５９４３Ａ１公報は、ハウジングを有する高電圧用途のためのプラグ型コネクタを開示しており、このハウジング上には電気絶縁壁が形成され、人間の指が、ハウジングによって保持された扁平コネクタピンに接触することなく壁の縁に接触することができる程度まで扁平コネクタピンの上縁及び側縁よりも突出している。
【０００８】
ＵＳ７，１５０，６６０Ｂ２公報は、９０°及び１８０°のプラグ型コネクタ用に形成することができる電気コンタクト要素を記載している。このコンタクト要素は、従来の金属から形成されるハウジング部材と、ハウジング部材よりも高い弾性の材料、例えば、ベリリウム銅から形成された弾性コンタクト要素とを有する。
【０００９】
ＵＳ７，６０１，０１９Ｂ２公報は、扁平コネクタピンを有し且つ９０°及び１８０°のプラグ型接続の両方に使用可能とすることが意図された接続保証システムを有する、高電圧用途のための電気プラグ型コネクタに関する。
【００１０】
ＥＰ０４４３４９２Ｂ１公報は、ピンレセプタクルを形成する誘電ハウジングを有するプラグ型コネクタを記載しており、このピンレセプタクル内には、配列されたピンコンタクト要素と、加えて、非導電性の細長い要素とが存在する。これらは、人間の指によるピンレセプタクル内へのコンタクト要素までの接近を防止することが意図される程度までピンレセプタクルの縁とコンタクト要素との間の空間を減少することが意図されている。
【００１１】
ＤＥ１０２００９０１６１５７Ａ１公報は、スリーブ状の部品が、挿入方向に開口した側面を除いて、取り付けられた遮蔽板によって全面からプラグスリーブコンタクトを完全に包囲する遮蔽型プラグ型コネクタ装置を記載している。このプラグスリーブコンタクトは、スリーブ状の部品に対して及び遮蔽板に対してプラグスリーブコンタクトを電気的に絶縁する絶縁室型のインサートによって包囲されている。
【００１２】
ＥＰ１７３０８１８Ｂ１公報は、相補的な扁平コンタクト用の、互いに対して９０°回転させた３つの異なる側面からアクセス可能なケージ状のコネクタ受容部材を形成する高電流用途のための電気プラグスリーブコンタクトに関する。
【００１３】
ＵＳ２０１２／０２３１６７６Ａ１公報は、丸形コンタクトを有する電気プラグ型コネクタのハウジングに関する。このハウジングには、ねじ山を備える丸形コンタクトを挿入するための開口が設けられている。この開口は、ドライバーはコンタクトに届くが指は届かないような寸法を有する。
【００１４】
ＤＥ１０２００９０５９０８９Ｂ３公報は、電気自動車用充電プラグに関し、その丸形コンタクトピンは、半田によって固定されたコンタクト保護キャップを備える。
【００１５】
最後に、ＵＳ８，２９８，０２２Ｂ２公報及びＥＰ２４１８７４３Ａ１公報は、丸形コンタクトを有するプラグ型コネクタを記載し、その挿入方向を指す先端には、コンタクト保護キャップが配置され、ハウジング壁とコンタクト保護キャップとの間の空間は、人間の指又は試験指が、丸形コンタクトの電流搬送部までコンタクト保護キャップと壁との間に挿入することができないように選択される。
【００１６】
上述のコンタクト要素及びプラグ型コネクタの欠点は、製造が複雑で、故障し易いことである。可動性のコンタクト保護部材を有するコネクタ要素では、コンタクト保護部材を駆動するための機構及び保持するための機構が摩耗し、その結果、プラグ型コネクタの耐用年数を通して適切なコンタクト保護が保証できない可能性がある。
【発明の概要】
【発明が解決しようとする課題】
【００１７】
従って、本発明の目的は、できる限り簡易で且つコスト効果の高い方法で堅牢なコンタクト保護を提供することができるピンコンタクト、コネクタ要素及びそのピンコンタクト又はコネクタ要素を製造する方法を提供することである。
【課題を解決するための手段】
【００１８】
この目的は、本発明によれば、導入部で言及されたピンコンタクト要素において、電気絶縁コンタクト保護部材が、基部から自由端までピンコンタクト要素上を外側に延在することにより達成される。前記電気絶縁コンタクト保護部材は、前記基部から前記自由端まで前記ピンコンタクトのコンタクト保護部の外面を形成するように延在する。前記ピンコンタクト要素や前記コネクタ要素は、前記ピンコンタクト要素又はコネクタ要素が、ソケットコンタクト要素又はかかる要素を含むコネクタ要素に導電的に接続されるために、ソケットコンタクト要素又はかかる要素を含むコネクタ要素に接続することができる挿入方向を規定することができ、前記挿入方向に対して横断方向を向く前記ピンコンタクト要素の少なくとも一部は、前記電気絶縁コンタクト保護部材によって形成することができる。かかる構成は、扁平コンタクトや丸形コンタクトにおいて、又はそれらの組み合わせにおいて使用することができる。従って、本発明に係るピンコンタクト要素は、広く使用することができる。
【００１９】
導入部で言及したコネクタ要素では、前記目的は、本発明によれば、前記コネクタ要素が、本発明に係る少なくとも１つのピンコンタクト要素を含むことにより達成される。
【００２０】
導入部で言及した方法では、前記目的は、本発明によれば、前記ピンコンタクト要素が、前記基部から前記自由端まで電気絶縁コンタクト保護部材を外側に備えることにより達成される。前記コンタクト保護部材は、前記ピンコンタクト要素のコンタクト部材上に、例えば、射出成形、注型、又はその他の方法で形成されてもよい。前記コンタクト保護部材及び前記コネクタ要素の前記ハウジングは、１つのツールで実質的に同時に形成することができる。従って、前記ピンコンタクト要素を備える前記ハウジングは、１つの作業ステップで形成、例えば、射出成形されることができる。或いは、前記ピンコンタクト要素は、当然、後続の作業ステップにてハウジングに取り付けられることができる別体の部品として形成されてもよい。
【００２１】
これらの課題解決法には、可動部材が存在しないという利点がある。前記コンタクト保護は、ピンのストリップのコネクタ要素の一部として形成されてもよい。例えばプラスチック材料等の非導電性材料を含む構成部品は、単にコンタクト保護を提供するために必要とされる。ピンのストリップ又はそれを含むプラグ型コネクタは、比較的小さい寸法を有し、堅牢であるように構成することができる。経年劣化又は摩耗の問題が無い。本発明に係るピンコンタクトは、導電体のために使用することができる。前記ピンコンタクト要素は、Ｕ字形の輪郭又は他の規格の構成を有してもよく、特に、２つ以上の異なる挿入方向への扁平コンタクトとして使用されてもよい。
【００２２】
本発明に係る課題解決法は、それ自体で有利な以下のさらなる実施形態と自由に組み合わせられ、それによってさらに補われてもよい。
【００２３】
例えば、前記少なくとも１つのコンタクト保護部材では、前記ピンコンタクト要素は、前記ピンコンタクト要素の前面即ち前部側を少なくとも部分的に形成すると規定してもよく、前記面又は側は、前記自由端に位置する。前記前面は、例えば、前記挿入方向を向いていてもよい。前記少なくとも１つのコンタクト保護部材は、前記挿入方向を向く前記ピンコンタクト要素の部分上に配置されてもよい。
【００２４】
前記少なくとも１つのコンタクト保護部材は、前記ピンコンタクト要素の２つの反対の側に沿って延在すると規定されてもよい。前記コンタクト保護部材は、従って、前記ピンコンタクト要素上の両側に配置されてもよい。前記２つの側は、前記ピンコンタクト要素上の互いに実質的に反対側に配置されてもよい。
【００２５】
前記少なくとも１つのコンタクト保護部材は、前記ピンコンタクト要素が相手コンタクト要素に正確に接続することができる前記ピンコンタクト要素の挿入方向や挿入の向きを規定するためのコーディング要素を少なくとも部分的に形成してもよい。前記コーディング要素は、前記挿入方向と実質的に平行に延在してもよい。前記コーディング要素は、前記挿入方向への突出において前記ピンコンタクト要素の所望のコーディング輪郭を画定することを特に支援してもよい。
【００２６】
前記少なくとも１つのコンタクト保護部材は、前記ピンコンタクト要素のコンタクト面を少なくとも部分的に包囲してもよい。前記コンタクト面は、前記ピンコンタクト要素上に側方に配置されてもよい。前記少なくとも１つのコンタクト保護部材は、人間の指との前記コンタクト面の不慮の接触が防止されるように、又は正確なコンタクト保護のための規格及びガイドラインに準拠するように、言わば、前記コンタクト面を包囲し、特に、前記コンタクト面をその側方縁において画定してもよい。互いに反対方向を向く前記ピンコンタクト要素の側面において前記ピンコンタクト要素上に配置された複数のコンタクト面が設けられてもよい。
【００２７】
前記ピンコンタクト要素の少なくとも１つの導電性のコンタクト部材及び前記少なくとも１つのコンタクト保護部材は、互いに対応するように構成されてもよい。前記コンタクト部材は、少なくとも１つのコンタクト面を形成してもよい。前記コンタクト部材及び前記コンタクト保護部材は、共に規格のピンコンタクトを形成してもよい。
【００２８】
前記少なくとも１つのコンタクト部材及び前記少なくとも１つのコンタクト保護部材は、ポジティブロック方式で一方を他方に係合させてもよい。この目的のため、例えば、凹部、凸部や蟻継ぎ接続等のポジティブロック要素が、前記コンタクト部材及び前記コンタクト保護部材の対向する部分に形成され、前記ピンコンタクト要素ができる限り高い剛性を有するように互いに係合してもよい。できる限り高い前記ピンコンタクト要素の剛性により、例えば、試験指が前記コンタクト保護部材に当接し、前記コンタクト要素に曲げ力を加える場合に前記ピンコンタクト要素の弾性変形を防止することが支援される。できる限り高い前記ピンコンタクト要素の剛性は、前記ピンコンタクト要素を含むコネクタ要素において、前記コンタクト保護に関して規定された寸法及び耐久性に準拠するということに寄与する。
【００２９】
前記少なくとも１つのコンタクト部材及び前記少なくとも１つのコンタクト保護部材は、互いに整列した表面を少なくとも部分的に形成してもよい。従って、特に前記コンタクト保護部材の前記表面は、少なくとも１つのコンタクト面に整列してもよい。前記表面は、前記ピンコンタクト要素が相手コンタクト要素に接続されるときに、過度の摩耗に繋がりかねない望ましくない機械抵抗が生じないように、少なくとも１つの挿入方向に整列していると有利である可能性がある。さらに、前記コンタクト保護部材及び前記コンタクト部材の相互に整列した表面により、できるだけ多くの挿入方向に相手コンタクトへ挿入されることができるように前記ピンコンタクト要素を構成することが支援される。
【００３０】
前記少なくとも１つのコンタクト部材は、前記少なくとも１つのコンタクト保護部材に埋め込まれてもよい。また、前記少なくとも１つのコンタクト部材は、前記コンタクト保護部材が前記コンタクト部材によって包囲されるという意味で、前記少なくとも１つのコンタクト保護部材を少なくとも部分的に包囲してもよい。従って、例えば、前記コンタクト部材は、例えば打抜き及び曲げ加工された金属板部品として断面がＵ字形に構成され、且つ、前記少なくとも１つのコンタクト保護部材を少なくとも部分的に包囲することができる。前記ピンコンタクト要素の剛性は、前記コンタクト保護部材及び前記コンタクト部材の上記のようなポジティブロック構成によってさらに増大させてもよい。
【００３１】
本明細書の導入部で言及した前記コネクタ要素では、本発明に係る課題解決法は、前記コンタクト保護部材が前記コネクタ要素のハウジング上に少なくとも部分的に支持されるという点でさらに改善することができる。前記コンタクト保護部材は、前記コンタクト部材と共に前記ハウジング上に支持されてもよい。この目的のため、前記ピンコンタクト要素は、前記コンタクト保護部材及び前記コンタクト部材の両方が、前記ハウジングのピン受容部材内で横方向に、例えば、前記挿入方向に対して横断方向に支持されるように、前記ピン受容部材に受容されてもよい。
【００３２】
前記少なくとも１つのコンタクト保護部材及び前記コネクタ要素の少なくとも１つの追加的な部分は、互いに対して一体的に接続されてもよい。従って、例えば、前記コネクタ要素のピンレセプタクルの底部又は一部と前記コンタクト保護部材は、互いに一体的に形成されてもよい。従って、前記コンタクト部材は、前記ハウジングに埋め込まれ、前記ハウジングの一部が、前記コンタクト保護部材を形成してもよい。かかる実施形態では、前記ピンコンタクト要素は、言わば、その前記基部において前記ハウジングに溶け込んでいる。
【００３３】
前記少なくとも１つのピンコンタクト要素は、前記コネクタ要素のコンタクト保護カラーによって少なくとも部分的に包囲されてもよく、このカラーは、前記ピンコンタクト要素に関して、前記少なくとも１つのコンタクト保護部材が位置する少なくとも１つの開口を有する。前記少なくとも１つのコンタクト保護部材は、前記コンタクト保護カラーの前記開口に向かう方向に向けられてもよく、この開口は、少なくとも部分的に前記基部と前記自由端との間に延在してもよい。相手コンタクト要素は、前記開口を介して前記ピンコンタクト要素と結合することができる。前記コンタクト保護部材が前記開口に向かう方向を向いていることによって、前記開口の方向に前記コンタクト保護カラーによって最大限被覆された前記コンタクト部材の不慮の接触を防止することができる。
【００３４】
導入部で言及された前記方法では、本発明に係る課題解決法は、前記少なくとも１つのコンタクト保護部材が、前記ピンコンタクト要素の前記少なくとも１つのコンタクト部材上に形成されていることによってさらに改善することができる。従って、前記コンタクト部材は、任意の方法で金属部品として構成され、その後、前記コンタクト保護部材が備えられてもよい。これにより、異なる方法で形成されたコンタクト保護部材によって同一のコンタクト要素に基づく要求事項に準拠するプラグ型コンタクト要素を提供することができる。さらに、例えばピンレセプタクルやコンタクト保護部材を形成するハウジング等のコネクタ要素のさらなる構成部品が、前記コンタクト部材の周囲に前記コンタクト保護部材と共に形成されてもよい。これにより、本発明に係るコネクタ要素の製造時間を減少すること及び製造プロセス全体を簡素化することが支援される。
【００３５】
本発明は、以下において、考え得る実施形態及び添付の図面を参照して一例としてより詳細に記載される。これらの実施形態において述べられた特徴の組み合わせは、専ら例示を目的とするものである。個々の特徴は、夫々の特徴の利点が特定の用途において重要な点ではない場合は、上述のそれらの利点に従って省略されてもよい。
【００３６】
本実施形態の記載において、分かり易いように、特徴及び要素は同一の参照番号で示される。同一又は少なくとも類似の機能性を備える特徴及び要素は、一般的に、さらなる実施形態を指定するために、さらなる文字又はプライム記号を備える同一の参照番号又は同一の参照文字を有する。
【図面の簡単な説明】
【００３７】
【図１】本発明に係るピンコンタクト要素の第１の実施形態を備える本発明に係るコネクタ要素の第１の実施形態の概略的な斜視図である。
【図２】図１に示すコネクタ要素の概略的な平面図である。
【図３】図１に示す切断線Ｂ‐Ｂに沿う図１及び図２に示すコネクタ要素の概略的な断面である。
【図４】図２に示す切断線Ａ‐Ａに沿う図１〜図３に示すコネクタ要素の概略的な断面である。
【図５】本発明に係るピンコンタクト要素の第２の実施形態を備える本発明に係るコネクタ要素の第２の実施形態を示す。
【図６】図５に示すコネクタ要素の概略的な平面図である。
【図７】図５に示す切断線Ｂ‐Ｂに沿う図５及び図６に示すコネクタ要素の概略的な断面である。
【図８】図６に示す切断線Ａ‐Ａに沿う図５〜図７に示すコネクタ要素の概略的な断面である。
【図９】本発明に係るコンタクト要素の第３の実施形態を備える本発明に係るコネクタ要素の第３の実施形態の概略的な斜視図である。
【図１０】図９に示すコネクタ要素の概略的な平面図である。
【図１１】図９に示す切断線Ｂ‐Ｂに沿う図９及び図１０に示すコネクタ要素の概略的な断面である。
【図１２】図１０に示す切断線Ａ‐Ａに沿う図９〜図１１に示すコネクタ要素の概略的な断面である。
【図１３】本発明に係るピンコンタクト要素の第４の実施形態を備える本発明に係るコネクタ要素の第４の実施形態の概略的な斜視図である。
【図１４】図１３に示すコネクタ要素の概略的な正面図である。
【図１５】図１４に示す切断線Ｄ‐Ｄに沿う図１３及び図１４に示すコネクタ要素の概略的な断面である。
【図１６】図１４に示す切断線Ｃ‐Ｃに沿う図１３〜図１５に示すコネクタ要素の概略的な断面である。
【図１７】本発明に係るピンコンタクト要素の第５の実施形態を備える本発明に係るコネクタ要素の第５の実施形態を示す。
【図１８】図１７に示すコネクタ要素の概略的な正面図である。
【図１９】図１８に示す切断線Ｄ‐Ｄに沿う図１７及び図１８に示すコネクタ要素の概略的な断面である。
【図２０】図１８に示す切断線Ｃ‐Ｃに沿う図１７〜図１９に示すコネクタ要素の概略的な断面である。
【図２１】本発明に係るピンコンタクト要素の第６の実施形態を備える本発明に係るコネクタ要素の第６の実施形態を示す。
【図２２】図２１に示すコネクタ要素の概略的な正面図である。
【図２３】図２２に示す切断線Ｄ‐Ｄに沿う図２１及び図２２に示すコネクタ要素の概略的な断面である。
【図２４】図２２に示す切断線Ｃ‐Ｃに沿う図２１〜図２３に示すコネクタ要素の概略的な断面である。
【図２５】本発明に係るピンコンタクト要素の第７の実施形態を備える本発明に係るコネクタ要素の第７の実施形態の概略的な斜視図である。
【図２６】図２５に示すコネクタ要素の概略的な正面図である。
【図２７】図２６に示す切断線Ｄ‐Ｄに沿う図２５及び図２６に示すコネクタ要素の概略的な断面である。
【図２８】図２６に示す切断線Ｃ‐Ｃに沿う図２５〜図２７に示すコネクタ要素の概略的な断面である。
【発明を実施するための形態】
【００３８】
まず、本発明に係るピンコンタクト要素１ａの第１の実施形態を備える本発明に係るコネクタ要素１００ａの第１の実施形態を、図１を参照して説明する。図１は、コネクタ要素１００ａの概略的な斜視図である。コネクタ要素１００ａは、共にデカルト座標系を定義する長手方向Ｘ、横断方向Ｙ、及び垂直方向Ｚに延在する。垂直方向Ｚでは、コネクタ要素１００ａは、挿入方向Ｓで相手コネクタ要素（図示せず）に接続することができ、即ち、ピンコンタクト要素１ａは、例えばソケットコンタクト要素（図示せず）等の相手コンタクト要素に接続することができる。他の挿入方向Ｓ'では、コネクタ要素１００ａは、他の又は同一の相手コネクタ要素に接続することができ、即ち、ピンコンタクト要素１ａは、他の又は同一の相手コンタクト要素に接続することができ、さらなる挿入方向Ｓ'は、長手方向Ｘの反対方向に延出する。従って、ピンコンタクト要素１ａ及びコネクタ要素１００ａは、挿入方向Ｓ又はさらなる挿入方向Ｓ'に従って１８０°や９０°のプラグ型コネクタにおいて使用することができる。
【００３９】
ピンコンタクト要素１ａは、いわゆる扁平コンタクトの形状をしており、基部２及び自由端３を有する。ピンコンタクト要素のコンタクト保護部材４は、不慮の接触からピンコンタクト要素１ａのコンタクト部材５を保護する。コンタクト保護部材４は、挿入方向Ｓにピンコンタクト要素１ａの前部外縁６に沿って且つ後部外縁７に部分的に沿って、基部２から自由端３まで延在している。且つ、コンタクト保護部材４は、挿入方向Ｓに対して横断的に、即ち、さらなる挿入方向Ｓ'にピンコンタクト要素１ａの前部側８に沿って、基部２から自由端３まで延在している。従って、コンタクト保護部材４は、前部側コンタクト保護部９及び前部側コンタクト保護部１０の外面１０'を形成する。前部側コンタクト保護部９及び前部側コンタクト保護部１０は、横断方向Ｘの反対方向を向くコンタクト部材５の第１のコンタクト面１１と、横断方向Ｙを向くコンタクト部材５の第２のコンタクト面１２（図３及び図４を参照）とを部分的に包囲している。
【００４０】
コネクタ要素１００ａは、ピンレセプタクルのように構成されたハウジング１０１を有する。ハウジング１０１は、ピンコンタクト１ａを包囲し、垂直方向Ｚに突出する壁１０２を有する。壁１０２には、挿入方向Ｓの反対方向にピンコンタクト要素１ａにアクセス可能な上部壁開口１０３と、さらなる挿入方向Ｓ'の反対方向にピンコンタクト要素１ａにアクセス可能な側部壁開口１０４とが形成されている。
【００４１】
壁１０２とピンコンタクト要素１ａとの間には、コネクタ要素１００ａのコンタクト保護カラー１０５が形成されている。壁１０２と同様に、コンタクト保護カラー１０５は、上部カラー開口１０６及び側部カラー開口１０７を有する。ピンコンタクト要素１ａは、挿入方向Ｓの反対方向に上部カラー開口１０６からアクセス可能である。ピンコンタクト要素１ａは、さらなる挿入方向Ｓ'の反対方向に側部カラー開口１０７からアクセス可能である。上部カラー縁１０８は、垂直方向Ｚ即ち挿入方向Ｓに、ピンコンタクト要素１ａの前部側８よりも下方、即ち、その前方に配置される。言い換えれば、前部側８は、垂直方向Ｚ及び挿入方向Ｓに上部カラー縁１０８よりも突出している。コンタクト保護カラー１０５の側部カラー縁１０９は、横方向Ｘ即ちさらなる挿入方向Ｓ'の反対方向に、前部外縁６即ち前部側コンタクト保護部９の前方に配置される。
【００４２】
コネクタ要素１００ａの底部１１０は、実質的に長手方向Ｘと横断方向Ｙに区画される平面に延在し、従って、コネクタ要素１００ａの相手コネクタ受容部材１１１を画定する。この相手コネクタ受容部材１１１は、ピンコンタクト要素１ａ、壁１０２、及びコンタクト保護カラー１０５によって形成され、コネクタ要素１００ａ用の相手コネクタ要素（図示せず）に対応するように夫々の要求事項に従って構成される。底部１１０は、本実施形態のように、底部１１０の材料が基部２の領域においてピンコンタクト要素１ａ、即ち、そのコンタクト保護部材４の材料に溶け込むことによってピンコンタクト要素１ａと一体的に構成されてもよい。コンタクト保護カラー１０５及び壁１０２も、本実施形態のように、底部１１０に一体的に構成されてもよい。言い換えれば、壁１０２、コンタクト保護カラー１０８及び底部１１０を含むハウジング１０１は、コンタクト保護部材４又は基部２と一体的に形成されてもよく、それによりピンコンタクト要素１ａは、コネクタ要素１００ａと一体的に形成される。
【００４３】
図２は、ピンコンタクト要素１ａの概略的な平面図である。これは、ピンコンタクト要素１ａがコンタクト保護カラー１０５によって三方を包囲され、コンタクト保護カラー１０５が、壁１０２によって三方を包囲されていることを示している。従って、ピンコンタクト要素１ａ、コンタクト保護カラー１０５及び壁１０２は、共に相手コネクタ受容部材１１１即ちその挿入面を形成する。ピンコンタクト１ａとコンタクト保護カラー１０５との間で横断方向Ｙに計測される間隔、カラー１０５の高さ及び前部側コンタクト保護部９の高さ及び前部側コンタクト保護部１０の長さは、試験指が、コンタクト面１１，１２まで挿入されることなく、前部外縁６及び側部カラー縁１０９又は上部カラー縁１０８及び前部側８に当接するような寸法を有する。
【００４４】
図３は、図１に示す切断線Ｂ‐Ｂに沿う、即ち、横方向Ｘ及び横断方向Ｙによって区画される平面における、ピンコンタクト要素１ａの概略的な断面である。これは、コンタクト部材５は断面がＵ字形状であり、Ｕ字形の縦部材が、第１のコンタクト面１１，第２のコンタクト面１２を形成し、Ｕ字形のくびきが、ピンコンタクト要素１ａの後部外縁７を部分的に形成していることを示している。コンタクト保護部材４の材料は、Ｕ字形の内側に延在している。言い換えれば、コンタクト部材５には、コンタクト保護部材４の材料が充填されている。従って、コンタクト保護部材４及びコンタクト部材５は、ピンコンタクト要素１ａの安定性に、特に、前部側コンタクト保護部９に対してＹ方向に働く曲げ力とは逆のピンコンタクト要素１ａの抵抗のモーメントに寄与するポジティブロックユニットを形成する。
【００４５】
図４は、図２に示す切断線Ａ−Ａに沿う、即ち、横断方向Ｙ及び垂直方向Ｚによって区画される平面における、ピンコンタクト要素１ａの概略的な斜視図である。これは、コンタクト保護部材４、即ち、その前部側コンタクト保護部９が、上部カラー縁１０８よりも突出していることを示している。後部外縁７、前部外縁６及び前部側コンタクト保護部９の側面の領域では、コンタクト保護部材４は、コンタクト部材５と整列している。言い換えれば、前部側コンタクト保護部９の側面は、挿入方向Ｓへの突出において、第１のコンタクト面１１及び第２のコンタクト面１２と整列している。前部側コンタクト保護部９又は前部側コンタクト保護部８及び第１のコンタクト面１１及び第２のコンタクト面１２は、さらに、さらなる挿入方向Ｓ'への突出において整列している。
【００４６】
さらに、ピンコンタクト要素１ａの底部１１０において、コネクタ要素１００ａのコンタクト受容部材１１２は、コンタクト部材５の断面に対応するように挿入方向Ｓに延在する開口形状である。コンタクト部材５は、コンタクト部材５の接続部２０が露出し、導電体（図示せず）に導電的に接続されることができるように、コンタクト受容部材１１２から底部１１０より下の箇所まで延出しており、接続部２０は、夫々の要求事項に従って構成される。
【００４７】
図５は、本発明に係るコネクタ要素１００ｂの第２の実施形態を示し、この実施形態は、本発明に係るピンコンタクト要素１ｂの第２の実施形態を備える。ピンコンタクト要素１ａと同様に、ピンコンタクト要素１ｂは、基部２、自由端３、コンタクト保護部材４、コンタクト部材５、前部外縁６、後部外縁７、前部側外縁８、前部側コンタクト保護部９、前部側コンタクト保護部１０、第１のコンタクト面１１及び第２のコンタクト面１２及び接続部２０を有する。ピンコンタクト要素１ａ及びコネクタ要素１００ａとは異なり、ピンコンタクト要素１ｂ及びコネクタ要素１００ｂは、一体的に形成されていない。即ち、ピンコンタクト要素１ｂのコンタクト保護部材４の材料は、コネクタ要素１００ｂの底部１１０の材料に溶け込んでいない。
【００４８】
図６は、コネクタ要素１００ａの第２の実施形態の概略的な平面図である。これは、基部２と底部１１０との間の図１に示す移行部が存在しないことを示している。
【００４９】
図７は、図５に示す切断線Ｂ‐Ｂに沿うコネクタ要素１００ｂの概略的な断面である。これは、ピンコンタクト要素１ｂのコンタクト部材５の中実構造を示す。ピンコンタクト要素１ａのコンタクト保護部材４とコンタクト部材５との間に安定化ポジティブロック接続を生じるために、コンタクト保護部材４は、垂直方向Ｚと実質的に平行に延出する凸状のポジティブロック要素１２０を備え、コンタクト部材５は、ポジティブロック要素２１に対応するように構成された凹状のポジティブロック相手要素２２を備える。
【００５０】
図８は、図６に示す切断線Ａ‐Ａに沿うコネクタ要素１００ｂの概略的な断面である。これは、ピンコンタクト要素１ｂをさらに安定させるために、ポジティブロック要素２１及びポジティブロック相手要素２２と同様に、コンタクト保護部材４上の他のポジティブロック要素２３及びコンタクト部材５上の他のポジティブロック相手要素２４が互いに係合し、長手方向Ｘと実質的に平行に延在するさねはぎ接続を形成する。
【００５１】
さらに、底部１１０におけるコンタクト受容部材１１２は、ピンコンタクト要素１ａ全体、即ち、コンタクト保護部材４及びコンタクト部材５がコンタクト受容部材１１２を通って底部１１０の下方に突出するようにピンコンタクト要素１ｂに形成され、ピンコンタクト要素１ｂの接続部２０は、夫々の要求事項に従って配置及び構成される。
【００５２】
図９は、本発明に係るコネクタ要素１００ｃの第３の実施形態を示し、本実施形態は、本発明に係るピンコンタクト要素１ｃの第３の実施形態を備える。ピンコンタクト要素１ｂと同様に、ピンコンタクト要素１ｃは、基部２、自由端３、コンタクト保護部材４、コンタクト部材５、前部外縁６、後部外縁７、前部側８、前部側コンタクト保護部９、前部側コンタクト保護部１０、第１のコンタクト面１１及び第２のコンタクト面１２及び接続部２０、ポジティブロック要素２１、ポジティブロック相手要素２２、他のポジティブロック要素２３及び他のポジティブロック相手要素２４を有する。コネクタ要素１００ｃは、コネクタ要素１００ｂと同様に、ハウジング１０１、壁１０２、上部壁開口１０３、側部壁開口１０４、コンタクト保護カラー１０５、上部カラー開口１０６、側部カラー開口１０７、上部カラー縁１０８、側部カラー縁１０９、底部１１０、相手コネクタ受容部材１１１及びコンタクト受容部材１１２を有する。
【００５３】
ピンコンタクト要素１ａ,１ｂとは異なり、ピンコンタクト要素１ｃは、後部外縁７の領域に、前部側コンタクト保護部９と同様に基部２から自由端３まで延在する後部側コンタクト保護部９'を有する。コンタクト保護部材４は、ピンコンタクト１ｃのコンタクト保護部９，９'の外面１０'を形成するように、基部２から自由端３まで延在する。従って、第１のコンタクト面１１及び第２のコンタクト面１２は、前部側コンタクト保護部９によって、後部側コンタクト保護部９'によって、且つ前部側コンタクト保護部１０によって包囲されている。従って、ピンコンタクト要素１ｃは、その長手軸Ｌ周りに１８０°回転することができ、それによって、前部側コンタクト保護部９は、後部側コンタクト保護部９'になり、後部側コンタクト保護部９'は、前部側コンタクト保護部９になる。これにより、コンタクト保護部９又は９'は、常に側部カラー開口１０７の方向を向き、コンタクト面１１，１２がその箇所で接触されないように保護するため、コネクタ要素１１０にピンコンタクト要素１ｃを不適切に備え付けることを防止することが支援される。
【００５４】
図１０は、コネクタ要素１００ｃの概略的な平面図である。これは、コネクタ要素１００ｃが、コネクタ要素１００ａ及びコネクタ要素１００ｂと同一の相手コネクタ受容部材１１１を形成していることを示している。
【００５５】
図１１は、図９に示す切断線Ｂ‐Ｂに沿うコネクタ要素１００ｃの概略的な断面である。前部側コンタクト保護部９と同様に、後部側コンタクト保護部９'もポジティブロック要素２１を備える。後部側コンタクト保護部９'のポジティブロック要素２１は、コンタクト部材５のポジティブロック相手要素２２に係合する。ピンコンタクト要素１ａは、図１１から分かるように、挿入方向Ｓへの突出においてその長手軸Ｌに対して点対称に構成されてもよい。
【００５６】
図１２は、図１０に示す切断線Ａ‐Ａに沿うコネクタ要素１００ｃの概略的な断面である。ピンコンタクト要素１ｂの場合と同様に、前部側コンタクト保護部１０のさらなるポジティブロック要素２３は、コンタクト部材５の前部側のさらなるポジティブロック相手要素２４に係合する。
【００５７】
図１３は、本発明に係るコネクタ要素１００ｄの第４の実施形態を示し、本実施形態は、本発明に係るピンコンタクト要素１ｄの第４の実施形態を備える。ピンコンタクト要素１ａ〜１ｃとは異なり、ピンコンタクト要素１ｄは、丸形コンタクトの形状である。従って、ピンコンタクト要素１ｄは円筒形状を有する。この円筒形状は、前部側コンタクト保護部９が、コンタクト部材５の第１のコンタクト面１１によって補完される円筒外表面の一部をなすように、ピンコンタクト要素１ｄのコンタクト保護部材４及びコンタクト部材５によって形成される。ピンコンタクト要素１ｄの前部側コンタクト保護部１０は、円筒状のピンコンタクト要素１ｄの実質的に円形の基面を形成する。コネクタ要素１００ｄは、コネクタ要素１００ａ〜１００ｃとは異なり、コンタクト保護カラー１０５を同時に形成する壁１０２を有する。従って、コネクタ要素１００ｄでは、上部壁開口１０３は上部カラー開口１０６に対応し、側部壁開口１０４は側部カラー開口１０７に対応する。
【００５８】
図１４は、コネクタ要素１００ｄの概略的な正面図である。これは、コンタクト面１１１が、ピンコンタクト要素１ｄの外面の１８０°を超える範囲を覆っていることを示している。
【００５９】
従って、ピンコンタクト要素１ｄのコンタクト面１１１は、さらなる挿入方向Ｓ'と実質的に平行な側部壁開口１０４即ち側部カラー開口１０７からアクセス可能である。従って、コンタクト部材５を、挿入方向Ｓには、例えば丸形の相手コンタクトとして形成された相手コンタクト要素と、逆挿入方向Ｓ'には、逆挿入方向Ｓ'対して横断方向の突出において例えばフォーク状の相手コンタクト要素と接触させることができる。それにより、コネクタ要素１００ｄは、９０°及び１８０°のプラグ型接続の両方に適している。
【００６０】
図１５は、図１４に示す切断線Ｄ‐Ｄに沿うコネクタ要素１００ｄの概略的な断面である。これは、ピンコンタクト要素１ｄのコンタクト部材５が中実形のものであること、及び、ピンコンタクト要素１ｄのコンタクト部材５をピンコンタクト要素１ｄのコンタクト保護部材４に接続するポジティブロック要素が設けられていないことを示している。ピンコンタクト要素１ａ及びコネクタ要素１００ａの場合と同様に、ピンコンタクト要素１ｄのコンタクト保護部材４は、コネクタ要素１００ｄのハウジング１０１と一体的に形成されている。第２のピンコンタクト要素１ｄの基部の領域では、ピンコンタクト要素１ｄの材料が、コネクタ要素１００ｄの底部１１０の材料に溶け込んでいる。
【００６１】
図１６は、図１４に示す切断線Ｃ−Ｃに沿うコネクタ要素１００ｄの概略的な断面である。コンタクト保護部材４とコンタクト部材５との間にも、ポジティブロック要素は設けられていない。ピンコンタクト要素１ｄの円筒状表面を形成する半径であるピンコンタクト要素１ｄのコンタクト面１１の外半径の第１の部分は、円筒面を補完する前部側コンタクト保護部９の外半径よりも大きい。なお、コンタクト保護部材４とコンタクト部材５との間の境界面の高さにおけるさらなる挿入方向Ｓ'における壁１０２即ちコンタクト保護カラー１０５の間の間隔は、試験指が、コネクタ要素１００ｄの側部壁開口１０４即ち側部カラー開口１０７から挿入方向Ｓ'の反対方向にコンタクト面１１に接触することができず、代わりに前部側コンタクト保護部９に接触する程度に小さくなるように選択される。
【００６２】
図１７は、本発明に係るコネクタ要素１００ｅの第５の実施形態を示し、本実施形態は、本発明に係るピンコンタクト要素１ｅの第５の実施形態を備える。ピンコンタクト要素１ｅは、ピンコンタクト要素１ｄと同様に丸形コンタクトとして構成されている。ピンコンタクト要素１ｄと同様に、ピンコンタクト要素１ｅは、基部２、自由端３、コンタクト保護部材４、コンタクト部材５、前部外縁６、後部外縁７、前部側８、前部側コンタクト保護部９、前部側コンタクト保護部１０及びコンタクト面１１を有する。コンタクト保護部９の外面１０'は、基部２から自由端３まで延在するコンタクト保護部材４によって形成される。コネクタ要素１００ｄと同様に、コネクタ要素１００ｅは、壁１０２即ちコンタクト保護カラー１０５、上部壁開口１０３即ち上部カラー開口１０６、側部壁開口１０４即ち側部カラー開口１０７、上部カラー縁１０８、側部カラー縁１０９、底部１１０及びコンタクト受容部材１１２を備えるハウジング１０１を有し、相手コネクタ受容部材１１１を形成する。ピンコンタクト要素１ｄとは異なり、ピンコンタクト要素１ｅは、ピンコンタクト要素１ｃと同様に、側部壁開口１０４即ち側部カラー開口１０７とは反対側に面するピンコンタクト要素１ｅの側に配置される後部側コンタクト保護部９'を有する。
【００６３】
図１８は、コネクタ要素１００ｅの概略的な正面図である。これは、ピンコンタクト要素１ｅ及びピンコンタクト要素１ｄが、さらなる挿入方向Ｓ'の反対方向の突出においては同一に見えることを示す。
【００６４】
図１９は、図１８に示す切断線Ｄ−Ｄに沿うコネクタ要素１００ｅの概略的な断面である。これは、ピンコンタクト要素１ｅの後部側コンタクト保護部９'が、側部壁開口１０４即ち側部カラー開口１０７とは反対側に面するピンコンタクト要素１ｅの側に配置され、ピンコンタクト要素１ｅのコンタクト部材５が、断面において、前部側コンタクト保護部９、後部側コンタクト保護部９'及び前部側コンタクト保護部１０によって包囲されていることを示す。前部側コンタクト保護部９及び後部側コンタクト保護部９'は、ピンコンタクト要素１ａと同様に、ハウジング１０１即ちコネクタ要素１００ｅの底部１１０に一体的に形成されている。ピンコンタクト要素１ｅの接続部２０は、コネクタ要素１００ｅのコンタクト受容部材１１２からコネクタ要素１００ｅの底部１１０より下に突出している。
【００６５】
図２０は、図１８に示す切断線Ｃ‐Ｃに沿うコネクタ要素１００ｅの概略的な断面である。これは、前部側コンタクト保護部９及び後部側コンタクト保護部９'が、横断方向Ｙ又はその反対方向への突出においてピンコンタクト要素１ｅのコンタクト部材５を包囲し、従って、ピンコンタクト要素１ａ〜１ｃのコンタクト部材５と同様に第１のコンタクト面１１及び第２のコンタクト面１２を形成していることを示す。ピンコンタクト要素１ｅの前部側コンタクト保護部９、後部側コンタクト保護部９'の外面１０'及び第１のコンタクト面１１及び第２のコンタクト面１２は、共にその円筒形の外表面を形成する。他の実施形態のように、コンタクト保護部材４も、基部２から自由端３までをピンコンタクト要素１ｆ上の外側に延在している。コンタクト保護部材４は、コンタクト保護部９，９'の外面１０'を形成する。
【００６６】
図２１は、本発明に係るコネクタ要素１００ｆの第６の実施形態を示し、本実施形態は、本発明に係るピンコンタクト要素１ｆの第６の実施形態を備える。ピンコンタクト要素１ｄ，１ｅと同様に、ピンコンタクト要素１ｆは、丸形コンタクトの形状である。ピンコンタクト要素１ｄ，１ｅとは異なり、ピンコンタクト要素１ｆは、前部側コンタクト保護部と４つの前部側及び後部側コンタクト保護部とを有するコンタクト保護部材４を有している。ピンコンタクト要素１ｆの前部側コンタクト保護部９及び後部側コンタクト保護部９'は、挿入方向Ｓと実質的に平行にピンコンタクト要素１ｆの長手軸Ｌに対して上部から見た場合、互いに正反対に配置されている。ピンコンタクト要素１ｆのコンタクト部材５は、中実且つ円筒形になるように構成されている。コンタクト保護部９，９'は、ピンコンタクト要素１ｆのコンタクト部材５の円筒形の外面から離間して配置されている。ピンコンタクト要素１ｆの前部側コンタクト保護部１０は、ピンコンタクト要素１ｆのコンタクト保護部９，９'，１０がコンタクト部材５周りに一種のコンタクト保護ケージを形成するように、コンタクト保護部９，９'を互いに接続する。コンタクト保護部９，９'，１０の間には、ピンコンタクト要素１ｆの第１、第２、第３及び第４のコンタクト面１〜１４が形成される。コネクタ要素１ｆは、ハウジング１０１をさらに有する。ハウジング１０１は、壁１０２とコンタクト保護カラー１０５が結合されており、結果的に上部壁開口１０３が上部カラー開口１０６と、側部壁開口１０４が側部カラー開口１０７と結合されているという点で、コネクタ要素１００ｄ，１００ｅのハウジング１０１とほぼ同様に構成されている。
【００６７】
図２２は、コネクタ要素１００ｆの概略的な正面図である。これは、前部側コンタクト保護部１０が、挿入方向Ｓの反対方向にコネクタ要素１００ｆの上部カラー縁１０８よりも突出していることを示している。
【００６８】
図２３は、図２２に示す切断線Ｄ‐Ｄに沿うコネクタ要素１００ｆの概略的な断面である。これは、ピンコンタクト要素１ｆのコンタクト部材５が中実に構成され、その接続部２０をコネクタ要素１１１のコンタクト受容部材１１２に通した状態で、その底部１１０から下方へ突出していることを示す。前部側及び後部側コンタクト保護部９，９'は、コンタクト部材５、即ち、その円筒表面に沿う挿入方向Ｓと実質的に平行に延在し、ピンコンタクト要素１ｆのコンタクト保護部材４の前部及び後部外縁６，７を形成する。コンタクト保護部材４は、例えば、コネクタ要素１００ａ及び１００ｄ〜１００ｅの場合と同様に、ピンコンタクト要素１ｆの基部２上にコネクタ要素１００ｆの底部１１０と一体的に構成されてもよい。
【００６９】
図２４は、図２２に示す切断線Ｃ‐Ｃに沿うコネクタ要素１００ｆの概略的な断面である。これは、ピンコンタクト要素１ｆのコンタクト保護部材４の前部側及び後部側コンタクト保護部９，９'の同心的配置を示している。前部側及び後部側コンタクト保護部９，９'は、長手軸Ｌに対して互いに正反対であり、弓形にピンコンタクト要素１ｆの円筒形のコンタクト部材５を包囲し、第１〜第４のコンタクト面１１〜１４を包囲し、前部外縁６、後部外縁７、さらには中心外縁６'を形成する。従って、挿入方向Ｓへの突出において結果的に形成される外輪郭であるピンコンタクト要素１ｆの外輪郭は、コーディングを生じる。このコーディングは、ピンコンタクト要素１ｆに接続できる相手コンタクト要素が、挿入方向Ｓにピンコンタクト要素１ｆに接続することができ、４つのコンタクト面１〜１４の少なくとも１つに確実に接触するように、ピンコンタクト要素１ｆの外輪郭に対応するように少なくとも部分的に構成されることを必要とする。従って、ピンコンタクト要素のコンタクト保護部９，９'は、ピンコンタクト要素１ｆに対する相手コンタクト要素の正確な向きを決定するコーディング要素２５として作用する。
【００７０】
図２５は、本発明に係るコネクタ要素１００ｇの第７の実施形態を示し、本実施形態は、本発明に係るピンコンタクト要素１ｇの第７の実施形態を備える。ピンコンタクト要素１ｇは、一種の丸形コンタクトとしてピンコンタクト要素１ｄ〜１ｆと同様に構成される。ピンコンタクト要素１ｇのコンタクト部材５は、ピンコンタクト要素１ｄのコンタクト部材５と同等である。ピンコンタクト要素１ａ〜１ｆとは異なり、ピンコンタクト要素１ｇは、その長手軸Ｌに対して非対称に構成されている。つまり、挿入方向Ｓへの突出において、ピンコンタクト要素１ｇは、ピンコンタクト要素１ｇに接続することができる相手コンタクト要素の単一の正確な向きを決定することが意図された外輪郭を有する。ピンコンタクト要素１ｇの前部側コンタクト保護部９は、横断方向Ｙ及び垂直方向Ｚによって区画される平面に実質的に存在する面を形成するように構成される。従って、ピンコンタクト要素１ｇの前部側コンタクト保護部９の側部縁には、２つの前部外縁６が形成される。さらに、ピンコンタクト要素１ｇの前部側コンタクト保護部９は中心外縁６'を形成する。
【００７１】
コネクタ要素１００ｇは、コネクタ要素１００ｄ〜１００ｆと同様に、ハウジング１０１を有する。ハウジング１０１は、壁１０２がコンタクト保護カラー１０５と結合し、従って上部壁開口１０３が上部カラー開口１０６と結合し、側部壁開口１０４が側部カラー開口１０７と結合している。
【００７２】
図２６は、コネクタ要素１００ｇの概略的な正面図である。これは、コネクタ要素１００ａ〜１００ｆの場合と同様に、前部側コンタクト保護部１０も、上部カラー縁１０８よりも突出していることを示している。
【００７３】
図２７は、図２６に示す切断線Ｄ‐Ｄに沿うコネクタ要素１００ｇの概略的な断面である。これは、ピンコンタクト要素１ｇのコンタクト保護部材４が、コネクタ要素１００ｇと一体的に構成されていることを示している。つまり、ピンコンタクト要素１ｇの基部２の領域において、コンタクト保護部材４の材料は、コネクタ要素１００ｇのハウジング１０１の底部１１０の材料に溶け込んでいる。
【００７４】
図２８は、図２６に示す切断線Ｃ‐Ｃに沿うコネクタ要素１００ｇの概略的な断面である。これは、前部側コンタクト保護部９が、側部壁開口１０４即ち側部カラー開口１０７に面する一種の障壁を提供していることを示している。前部側コンタクト保護部９は、中心外縁６'が、コンタクト保護部材４と壁１０２即ちコンタクト保護カラー１０５との間の間隔即ち自由空間を、試験指によるさらなる挿入方向Ｓ'の略反対方向への自由空間からの挿入が防止される程度まで減少するように構成されている。
【００７５】
本発明の概念の範囲内であれば、上述の実施形態からの逸脱は可能である。従って、本発明に係るピンコンタクト要素１ａ〜１ｇは、要求事項に従って、基部２及び自由端３を有し、基部２と自由端３との間には、夫々の規格及びガイドラインに従ってピンコンタクト要素１ａ〜１ｇの導電性コンタクト部材５との試験指の接触を防止するために、必要とされる形状のコンタクト保護部材４が延在するように構成されてもよい。この目的のため、夫々の要求事項に従い、コンタクト保護部材４は、要望通りに構成された前部外縁６、後部外縁７、前部側８、前部側コンタクト保護部９、前部側コンタクト保護部１０、ポジティブロック要素２１、さらなるポジティブロック要素２３及びコーディング要素２５を任意の数だけ有してもよい。コンタクト部材５は、夫々の要求事項に従い、任意の方法で構成されたコンタクト面１１〜１４及びポジティブロック相手要素２２及びさらなるポジティブロック相手要素２４を任意の数だけ有してもよく、任意の方法で構成された接続部２０を備えてもよい。ポジティブロック要素２１，２３及びポジティブロック相手要素２２，２４は、コンタクト保護部材４とコンタクト部材５との間でできる限り安定したポジティブロック接続を生じるために夫々の要求事項に従って構成されてもよい。従って、任意のポジティブロック要素２１，２３や凹状のポジティブロック相手要素２２，２４が切込を有してもよい。ポジティブロック要素２１，２３，２４は、コンタクト保護部材４とコンタクト部材５との間の機械的接続の安定性を増すために蟻継ぎ形状でもよい。
【００７６】
本発明に係るコネクタ要素１００ａ〜１００ｇは、夫々に要求事項に従って、所望のピンコンタクト要素１ａ〜１ｇの数及び形状に対応する任意数のコンタクト受容部材１１２を形成するハウジング１０１を有するように構成されてもよい。壁１０２、上部壁開口１０３、側部壁開口１０４、コンタクト保護カラー１０５、上部カラー開口１０６、側部カラー開口１０７、上部カラー縁１０８、側部カラー縁１０９及び底部１１０は、挿入方向Ｓやさらなる挿入方向Ｓ'における相手コネクタ要素へのコネクタ要素１００ａ〜１００ｇの接続を可能にする少なくとも相手コネクタ受容部材１１１即ち挿入面を決定するために夫々の要求事項に従って構成されてもよく、挿入方向Ｓ及びＳ'は、例えば、本明細書に記載したように、１８０°のプラグ型コネクタ又は９０°のプラグ型コネクタと関連付けることができる。
【００７７】
ハウジング１０１の要素及びコンタクト保護部材４は、夫々の要求事項に従って、任意の電気絶縁材料から製造されてもよい。ハウジング１０１を少なくとも部分的にコンタクト保護部材４上に一体的に構成することが有利である。この目的のため、ハウジング１０１及びコンタクト保護部材４は、例えば、作業ステップにおいて注型成形又は射出成形されてもよく、或いは、プラスチック材料等の要求事項に対応する材料から製造されてもよい。コンタクト保護部材４及びハウジング１０１に対して異なる材料を使用することも可能である。
【００７８】
コンタクト保護部９，９'，１０と壁１０２即ちコンタクト保護カラー１０５との間の間隔は、長手方向Ｘ、横断方向Ｙ及び垂直方向Ｚ又は挿入方向Ｓ及びさらなる挿入方向Ｓ'において、夫々の規格及びガイドラインに従って使用されることを意図する人間の指又は試験指による上部壁開口１０３、上部カラー開口１０６、側部壁開口１０４及び側部カラー開口１０７からのコンタクト部材５との接触が防止されるように選択されることが意図される。
【符号の説明】
【００７９】
１ａ〜１ｇ    ピンコンタクト要素
２     基部
３     自由端
４     コンタクト保護部材
５     コンタクト部材
６     前部外縁
６'    中心外縁
７     後部外縁
８     前部側／前面
９     前部側外面を備える前部側コンタクト保護部
９'    後部側外面を備える後部側コンタクト保護部
１０'  外面
１０   前部側コンタクト保護部
１１   第１のコンタクト面
１２   第２のコンタクト面
１３   第３のコンタクト面
１４   第４のコンタクト面
２０   接続部
２１   ポジティブロック要素
２２   ポジティブロック相手要素
２３   さらなるポジティブロック要素
２４   さらなるポジティブロック相手要素
２５   コーディング要素
１００ａ〜１００ｇ   コネクタ要素
１０１ ハウジング
１０２ 壁
１０３ 上部壁開口
１０４ 側部壁開口
１０５ コンタクト保護カラー
１０６ 上部カラー開口
１０７ 側部カラー開口
１０８ 上部カラー縁
１０９ 側部カラー縁
１１０ 底部
１１１ 相手コネクタ受容部材
１１２ コンタクト受容部材
Ｌ     ピンコンタクト要素の長手軸
Ｘ     長手方向
Ｙ     横断方向
Ｚ     垂直方向
Ｓ     挿入方向
Ｓ'    さらなる挿入方向
【図１】
0006336580.tif 000002
【図２】
0006336580.tif 000003
【図３】
0006336580.tif 000004
【図４】
0006336580.tif 000005
【図５】
0006336580.tif 000006
【図６】
0006336580.tif 000007
【図７】
0006336580.tif 000008
【図８】
0006336580.tif 000009
【図９】
0006336580.tif 000010
【図１０】
0006336580.tif 000011
【図１１】
0006336580.tif 000012
【図１２】
0006336580.tif 000013
【図１３】
0006336580.tif 000014
【図１４】
0006336580.tif 000015
【図１５】
0006336580.tif 000016
【図１６】
0006336580.tif 000017
【図１７】
0006336580.tif 000018
【図１８】
0006336580.tif 000019
【図１９】
0006336580.tif 000020
【図２０】
0006336580.tif 000021
【図２１】
0006336580.tif 000022
【図２２】
0006336580.tif 000023
【図２３】
0006336580.tif 000024
【図２４】
0006336580.tif 000025
【図２５】
0006336580.tif 000026
【図２６】
0006336580.tif 000027
【図２７】
0006336580.tif 000028
【図２８】
0006336580.tif 000029